(57)【要約】【課題】素材の収録からオンエア送出までに要する時間の短縮と効率の改善とを図り得る放送システムを提供する。【解決手段】システム制御部１６において、素材データの収録からオンエアまでの処理における映像収録装置、編集装置、送出制御装置、蓄積装置及び送出装置といった情報処理装置の選択や各情報処理装置の機能の選択を、状態管理部２４により管理される情報処理装置の使用状態と、予約情報記憶部２８に記憶された予約データや優先度情報記憶部２９に記憶された情報処理装置の機能ごとの優先順位に基づいて、自動的に行うようにしている。【選択図】      図２
2010219722.tif 000002
【特許請求の範囲】
【請求項１】
それぞれ異なりかつオンエア用の素材データの処理に係わる複数の機能を有した情報処理装置と、
この情報処理装置の監視または制御を実行するシステム制御装置とを具備し、
前記システム制御装置は、
前記情報処理装置の使用状態と、予め設定された条件とに基づいて、前記素材データを処理する機能を選択し、この選択した機能により前記素材データの処理を実行する選択手段を備えたことを特徴とする放送システム。
【請求項２】
前記システム制御装置は、前記複数の機能のうち第１の機能による前記素材データの処理の実行中に、前記第１の機能とは異なる第２の機能による処理要求が発生したときに、予め設定される条件に基づいて前記素材データの処理の実行・停止を制御する実行・停止制御手段をさらに備えたことを特徴とする請求項１記載の放送システム。
【請求項３】
前記選択手段は、前記条件の判断に、前記複数の機能それぞれに割り当てられた処理優先度を用いることを特徴とする請求項１記載の放送システム。
【請求項４】
前記実行・停止制御手段は、前記条件の判断に、前記複数の機能それぞれに割り当てられた処理優先度を用いることを特徴とする請求項２記載の放送システム。
【請求項５】
前記システム制御装置は、前記素材データに対し互いに異なる処理を実行する複数の情報処理装置が接続されるとき、複数の情報処理装置の監視または制御を実行し、
前記選択手段は、前記複数の情報処理装置の使用状態と、予め設定された条件とに基づいて、前記素材データを処理する情報処理装置を選択し、この選択した情報処理装置に前記素材データの処理を実行させることを特徴とする請求項１記載の放送システム。
【請求項６】
前記実行・停止制御手段は、前記複数の情報処理装置のうち第１の情報処理装置による前記素材データの処理の実行中に、第２の情報処理装置による処理要求が発生したときに、予め設定される条件に基づいて前記素材データの処理の実行・停止を制御することを特徴とする請求項５記載の放送システム。
【請求項７】
前記選択手段は、前記条件の判断に、前記複数の情報処理装置それぞれに割り当てられた処理優先度を用いることを特徴とする請求項５記載の放送システム。
【請求項８】
前記実行・停止制御手段は、前記条件の判断に、前記複数の情報処理装置それぞれに割り当てられた処理優先度を用いることを特徴とする請求項６記載の放送システム。
【請求項９】
前記実行・停止制御手段は、前記素材データの処理の進行度合いに応じて、割り込み処理の実行・停止を制御することを特徴とする請求項２記載の放送システム。
【請求項１０】
前記実行・停止制御手段により動作中の第１の機能が中断され、前記第２の機能が実行されたとき、前記素材データに対する処理の中断部分を管理するための管理情報を作成し、この管理情報を前記第１の機能の識別情報と関連付けて記憶する管理情報記憶手段と、
前記第２の機能による前記素材データの処理が終了したとき、前記管理情報記憶手段に記憶された管理情報に基づいて、前記第１の機能に対し中断部分から前記素材データに対する処理を再実行させる再実行制御手段とをさらに備えたことを特徴とする請求項２記載の放送システム。
【請求項１１】
前記実行・停止制御手段により動作中の第１の情報処理装置による処理が中断され、前記第２の情報処理装置による処理が実行されたとき、前記素材データに対する処理の中断部分を管理するための管理情報を作成し、この管理情報を前記第１の情報処理装置の識別情報と関連付けて記憶する管理情報記憶手段と、
前記第２の情報処理装置による前記素材データの処理が終了したとき、前記管理情報記憶手段に記憶された管理情報に基づいて、前記第１の情報処理装置に対し中断部分から前記素材データに対する処理を再実行させる再実行制御手段とをさらに備えたことを特徴とする請求項６記載の放送システム。
【請求項１２】
前記選択手段は、前記条件の判断に、ユーザにより入力され機能の実行時間または実行順序を示す予約データを用い、この予約データに従って、該当する機能により前記素材データの処理を実行することを特徴とする請求項１記載の放送システム。
【請求項１３】
前記選択手段は、前記条件の判断に、ユーザにより入力され情報処理装置による処理の実行時間または実行順序を示す予約データを用い、この予約データに従って、該当する情報処理装置により前記素材データの処理を実行することを特徴とする請求項５記載の放送システム。
【請求項１４】
前記機能による前記素材データの処理後に、前記素材データの処理に関する処理履歴情報を前記機能の識別情報と関連付けて記憶する処理履歴記憶手段と、
前記処理履歴情報の提示要求に応じて、前記処理履歴情報及び前記機能の識別情報を前記処理履歴記憶手段から読み出し提示する処理履歴検索手段とをさらに備えたことを特徴とする請求項１記載の放送システム。
【請求項１５】
前記選択手段は、機能による前記素材データの処理を実行するとき、当該機能の識別情報に対応する処理履歴情報を前記処理履歴記憶手段から読み出し、この処理履歴情報に基づいて処理を実行することを特徴とする請求項１記載の放送システム。
【請求項１６】
前記情報処理装置による前記素材データの処理後に、前記素材データの処理に関する処理履歴情報を前記情報処理装置の識別情報と関連付けて記憶する処理履歴記憶手段と、
前記処理履歴情報の提示要求に応じて、前記処理履歴情報及び前記情報処理装置の識別情報を前記処理履歴記憶手段から読み出し提示する処理履歴検索手段とをさらに備えたことを特徴とする請求項５記載の放送システム。
【請求項１７】
前記選択手段は、情報処理装置による前記素材データの処理を実行するとき、当該情報処理装置の識別情報に対応する処理履歴情報を前記処理履歴記憶手段から読み出し、この処理履歴情報に基づいて処理を実行することを特徴とする請求項５記載の放送システム。
【請求項１８】
それぞれ異なりかつオンエア用の素材データの処理に係わる複数の機能を有した情報処理部と、
この情報処理部の監視または制御を実行する制御部とを具備し、
前記制御部は、
前記情報処理部の使用状態と、予め設定された条件とに基づいて、前記素材データを処理する機能を選択し、この選択した機能により前記素材データの処理を実行する選択手段を備えたことを特徴とする放送素材処理装置。
【請求項１９】
前記制御部は、前記複数の機能のうち第１の機能による前記素材データの処理の実行中に、前記第１の機能とは異なる第２の機能による処理要求が発生したときに、予め設定される条件に基づいて前記素材データの処理の実行・停止を制御する実行・停止制御手段をさらに備えたことを特徴とする請求項１８記載の放送素材処理装置。
【発明の詳細な説明】
【技術分野】
【０００１】
この発明は、例えば放送素材収録装置、放送素材蓄積装置、編集装置及び送出装置における放送素材データの収録からオンエアまでを自動化する放送システムと、放送素材データをオンエア処理する複数の機能を備えた放送素材処理装置に関する。
【背景技術】
【０００２】
地上デジタル放送の開始、また放送と通信の融合が進む中、放送の分野において、ますますデジタル化が進んでいる。従来、映像素材収録には磁気テープを媒体として用いてきたが、素材のデジタル化に伴い、ハードディスクまたはフラッシュメモリ等を用いた収録システムが検討されている。これにより、これまでのテープを用いたシステムではできなかった様々な機能を実現することが可能となった。さらに、テープレス化に伴い、ネットワーク化も進みつつある。
【０００３】
ところで、放送番組送出システムにあっては、テープレス化及びネットワーク化が進んでも素材の収録からオンエア送出までの大半をオペレータによる人為的作業によって行っている。また上記放送番組送出システムでは、高精細映像を扱うこともあり、この高精細映像を扱うと収録素材のファイルサイズが大きくなり、オンエア送出までの処理に多くの手間と時間がかかる。特に、素材のコピーまたは転送を行う時間は長くなり、素材作成の時間がなかなか短縮できない。
【０００４】
なお、この種に関連する従来技術として、特許文献１に、リストの優先順位に従って、記録再生装置の出力ポートを自動的に割り当てる構成が示されている。但し、この特許文献１に記載のものは、出力ポートを割り当てるものであり、素材データに対する複数の処理を自動的に行うものではない。
【先行技術文献】
【特許文献】
【０００５】
【特許文献１】特開平１０−２８５５３７公報。
【発明の概要】
【発明が解決しようとする課題】
【０００６】
上記放送番組送出システムにあっては、テープレス化及びネットワーク化が進んでも素材の収録からオンエア送出までの大半をオペレータによる人為的作業に委ねられており、オペレータにとっては煩雑な作業が強いられている。
【０００７】
そこで、この発明の目的は、素材の収録からオンエア送出までに要する時間の短縮と効率の改善とを図り得る放送システム及び放送素材処理装置を提供することにある。
【課題を解決するための手段】
【０００８】
上記目的を達成するために、この発明に係る放送システムは、それぞれ異なりかつオンエア用の素材データの処理に係わる複数の機能を有した情報処理装置と、この情報処理装置の監視または制御を実行するシステム制御装置とを具備し、システム制御装置は、情報処理装置の使用状態と、予め設定された条件とに基づいて、素材データを処理する機能を選択し、この選択した機能により素材データの処理を実行する選択手段を備えるようにしたものである。
【０００９】
この構成によれば、素材データの収録からオンエアまでの処理における機能の選択が、情報処理装置の使用状態と、予め設定された条件とに基づいて、自動的に行われることになる。従って、自動化できる作業は自動化することで、素材データの収録からオンエアまでの処理に要する時間の短縮及び効率の改善を図ることができる。
【００１０】
システム制御装置は、複数の機能のうち第１の機能による素材データの処理の実行中に、第１の機能とは異なる第２の機能による処理要求が発生したときに、予め設定される条件に基づいて素材データの処理の実行・停止を制御する実行・停止制御手段をさらに備える。実行・停止制御手段は、条件の判断に、複数の機能それぞれに割り当てられた処理優先度を用いる。
【００１１】
この構成によれば、優先度の低い機能による素材データの処理中に、優先度の高い機能による処理要求が発生した場合に、低い機能による素材データの処理を中断して、優先度の高い機能による処理を優先して実行することができる。従って、機能別の処理と、オペレータの効率的運用とを両立させたシステムを提供できる。
【００１２】
実行・停止制御手段により動作中の第１の機能が中断され、第２の機能が実行されたとき、素材データに対する処理の中断部分を管理するための管理情報を作成し、この管理情報を第１の機能の識別情報と関連付けて記憶する管理情報記憶手段と、第２の機能による素材データの処理が終了したとき、管理情報記憶手段に記憶された管理情報に基づいて、第１の機能に対し中断部分から素材データに対する処理を再実行させる再実行制御手段とをさらに備える。
【００１３】
この構成によれば、同一素材に対する処理を行う場合、優先度の低い処理は中断し、優先度の高い処理を実行後、中断した部分から再開するというように、効率的に作業を進めることができ、また自動化されることにより、収録した素材をオンエアするまでの時間を短縮できる。
【００１４】
選択手段は、条件の判断に、ユーザにより入力され機能の実行時間または実行順序を示す予約データを用い、この予約データに従って、該当する機能により素材データの処理を実行する。
【００１５】
この構成によれば、オペレータにより予約データを入力するだけで、オペレータが離席などして不在の場合であっても、予約データに基づいて、機能の選択から該当する機能による素材データの処理まで自動的に行われ、これにより収録した素材をオンエアするまでの時間を短縮できる。
【００１６】
機能による前記素材データの処理後に、素材データの処理に関する処理履歴情報を機能の識別情報と関連付けて記憶する処理履歴記憶手段と、処理履歴情報の提示要求に応じて、処理履歴情報及び機能の識別情報を処理履歴記憶手段から読み出し提示する処理履歴検索手段とをさらに備える。
【００１７】
この構成によれば、素材データに対して過去に処理を行った機能がある場合に、その機能の処理履歴情報を提示することができる。
【００１８】
選択手段は、機能による素材データの処理を実行するとき、当該機能の識別情報に対応する処理履歴情報を処理履歴記憶手段から読み出し、この処理履歴情報に基づいて処理を実行する。
【００１９】
この構成によれば、素材データの処理を実行する機能が過去に同じ処理を行っている場合に、処理履歴情報を利用して、同じ処理を繰り返し行うことができ、これにより素材データの処理の効率化をさらに図ることができる。
【発明の効果】
【００２０】
この発明によれば、素材の収録からオンエア送出までに要する時間の短縮と効率の改善とを図り得る放送システム及び放送素材処理装置を提供することができる。
【図面の簡単な説明】
【００２１】
【図１】この発明の一実施形態に係る放送システムの構成を示すブロック図。
【図２】上記図１に示したシステム制御部の内部構成を示すブロック図。
【図３】上記図２に示した状態管理部に記憶される状態管理情報の一例を示す図。
【図４】上記図２に示した予約情報記憶部に記憶される予約データの一例を示す図。
【図５】上記図２に示した優先度情報記憶部に記憶される優先度情報の一例を示す図。
【図６】上記図２に示した処理履歴記憶部に記録される処理履歴情報の一例を示す図。
【図７】上記図２に示した中断箇所記憶部に記憶されるデータの一例を示す図。
【図８】同実施形態において、予約データが設定された際のシステム制御部が実行する処理手順を示すフローチャート。
【図９】同実施形態において、映像収録装置で収録した素材に対して、複数処理の要求があった場合の処理を示す図。
【図１０】同実施形態において、同一素材に対し複数の処理要求が発生した際のシステム制御部の処理手順を示すフローチャート。
【図１１】同実施形態において、再生中の素材に対し緊急用の素材に差し替えられてオンエアされる様子を説明するために示す図。
【図１２】この発明の放送システムの変形例を示すブロック図。
【図１３】同変形例でオンエア送出される映像画面の一例を示す図。
【発明を実施するための形態】
【００２２】
以下、この発明の実施形態について図面を参照して詳細に説明する。  
図１は、この発明の一実施形態に係る放送システムの構成を示している。本実施形態の放送システムでは、ネットワーク１１上に映像収録装置１２、編集装置１３、送出制御装置１４、蓄積装置１５、システム制御部１６及び送出装置１７が接続される。
【００２３】
映像収録装置１２には、撮影を行うカメラ１８が接続されており、カメラ１８により得られる素材データを収録する。この収録された素材データは、ネットワーク１１を介して編集装置１３及び蓄積装置１５に送られる。編集装置１３は、映像収録装置１２により収録された素材データまたは蓄積装置１５に蓄積された素材データを編集する。
【００２４】
この編集された素材は、ネットワーク１１を介して蓄積装置１５または送出制御装置１４に送られる。送出制御装置１４は、蓄積装置１５に蓄積された素材または編集装置１３により編集された素材に対しＣＭの挿入等を行う。このＣＭ挿入等が行われた素材データは、送出装置１７に導かれ、選択的にオンエア出力される。
【００２５】
また、蓄積装置１５は、オンエア用の素材データを格納しておくもので、ネットワーク１１を通じて自動番組送出制御装置（図示せず）から与えられるオンエア指示信号に応じて、該当する素材データを選択的に再生する。この再生データは、ネットワーク１１を介して送出装置１７に送られてオンエア出力される。
【００２６】
ここで、システム制御部１６は、ネットワーク１１を介して映像収録装置１２、編集装置１３、送出制御装置１４、蓄積装置１５及び送出装置１７の処理を制御可能とする。
【００２７】
図２は、システム制御部１６の内部構成を示すブロック図である。
【００２８】
システム制御部１６は、状態取得部２１と、データ表示部２２と、データ記録部２３と、状態管理部２４と、処理履歴記憶部２５と、装置制御部２６と、入力部２７と、予約情報記憶部２８と、優先度情報記憶部２９と、プログラム記憶部３０と、中断箇所記憶部３１とを備えている。
【００２９】
状態取得部２１は、ネットワーク１１を介して映像収録装置１２、編集装置１３、送出制御装置１４、蓄積装置１５及び送出装置１７を含む情報処理装置の動作状態の監視を行い、各映像収録装置１２、編集装置１３、送出制御装置１４、蓄積装置１５及び送出装置１７から状態管理情報を取得する。監視の手法としては、各映像収録装置１２、編集装置１３、送出制御装置１４、蓄積装置１５及び送出装置１７に対し監視要求を送信して、この監視要求に対し各映像収録装置１２、編集装置１３、送出制御装置１４、蓄積装置１５及び送出装置１７が返送する応答信号（状態管理情報）を受信できるか否かを監視するものが用いられる。状態管理情報は、各素材が現在どのような状態にあるか、どの装置から処理が行われているのか、どのくらい進んでいるのかの情報が記述されている。
【００３０】
状態取得部２１により得られた状態管理情報は、データ記録部２３により状態管理部２４に記憶される。この状態管理部２４に記憶される状態管理情報は、図３に示すように、素材の識別情報と、各映像収録装置１２、編集装置１３、送出制御装置１４、蓄積装置１５及び送出装置１７といった情報処理装置の識別情報と、動作中の機能の識別情報と、どのくらい進んでいるのかを示す情報との対応関係を表すデータとなる。
【００３１】
ところで、上記システム制御部１６は、この発明に係わる情報処理装置の使用状態と、予め設定された条件とに基づいて、素材データを処理する情報処理装置または情報処理装置の機能を選択し、この選択した情報処理装置または情報処理装置の機能により素材データの処理を実行する手段と、例えば蓄積装置１５または蓄積装置１５のプレビュー機能による素材データの処理の実行中に、編集装置１３による処理要求が発生したときに、予め設定される条件に基づいて素材データの処理の実行・停止を制御する手段と、編集装置１３による素材データの処理が終了したとき、中断箇所記憶部３１に記憶された管理情報に基づいて、蓄積装置１５のプレビュー機能に対し中断部分から素材データに対する処理を再実行させる手段と、処理履歴情報の提示要求に応じて、処理履歴情報及び情報処理装置の識別情報を処理履歴記憶部２５から読み出しデータ表示部２２によりモニタＭＴに表示する手段とを有している。これら手段は、上記状態取得部２１と、データ表示部２２と、データ記録部２３と、状態管理部２４と、処理履歴記憶部２５と、装置制御部２６と、入力部２７と、予約情報記憶部２８と、優先度情報記憶部２９と、プログラム記憶部３０と、中断箇所記憶部３１とによって実現する。
【００３２】
入力部２７は、システム制御部１６に対し種々の動作指示を入力するために使用するもので、各情報処理装置または情報処理装置の機能の実行時間または実行順序を示す予約データの入力、各情報処理装置または情報処理装置の機能に割り当てる優先度情報の入力、処理履歴情報の表示入力にも使用される。予約データが入力された場合には、予約情報記憶部２８に記憶保持される。この予約情報記憶部２８に記憶される予約データは、図４に示すように、タイマ３２により計時される処理実行日付と、時刻と、素材の識別情報と、情報処理装置の識別情報と、機能の識別情報との対応関係を表すデータとなる。
【００３３】
優先度情報が入力された場合には、優先度情報記憶部２９に記憶保持される。この優先度情報記憶部２９に記憶される優先度情報は、図５に示すように、優先順位と、情報処理装置の識別情報と、機能の識別情報との対応関係を表すデータとなる。
【００３４】
入力部２７より入力された情報は、装置制御部２６よりネットワーク１１を介して各映像収録装置１２、編集装置１３、送出制御装置１４、蓄積装置１５及び送出装置１７に送られ、各映像収録装置１２、編集装置１３、送出制御装置１４、蓄積装置１５及び送出装置１７では受け取った情報により処理を行う。また、データ記録部２３により状態管理部２４に記録されるとともに処理履歴記憶部２５にも記録される。処理履歴記憶部２５に記録される処理履歴情報は、図６に示すように、タイマ３２により計時される処理実行日付及び時刻と、素材の識別情報と、情報処理装置の識別情報と、機能の識別情報と、処理の実行手順を示す情報との対応関係を表すデータとなる。
【００３５】
また、状態管理部２６に記録される状態管理情報及び処理履歴記憶部２５に記録される処理履歴情報は、入力部２７おけるオペレータからの指示に応じて、データ表示部２２によりモニタＭＴに表示される。
【００３６】
装置制御部２６は、予約情報記憶部２８、優先度情報記憶部２９、プログラム記憶部３０を参照して各映像収録装置１２、編集装置１３、送出制御装置１４、蓄積装置１５及び送出装置１７に対して制御を行う。また、動作中の蓄積装置１５のプレビュー機能による処理が中断され、編集装置１３による編集処理が実行されたとき、素材データに対する処理の中断部分を管理するための管理情報を作成し、この管理情報を蓄積装置１５の識別情報及びプレビュー機能の識別情報と関連付けて中断箇所記憶部３１に記憶する。中断箇所記憶部３１に記憶されるデータは、図７に示すように、処理状況を表す情報と、情報処理装置の識別情報と、機能の識別情報と、素材の識別情報と、処理進行を表す情報との対応関係を表すデータとなる。
【００３７】
なお、システム制御部１６は、映像収録装置１２等の装置内にあってもよく、ネットワーク１１上にシステム制御装置として存在しても良い。
【００３８】
次に、上記構成における動作について説明する。  
図８は、上記システム制御部１６が実行する処理手順を示すフローチャートである。例えば、オペレータが素材データのオンエア処理の予約を行うべく入力部２７を操作して日付と開始時刻と終了時刻と素材名と装置の識別情報、機能の識別情報を入力したとする。装置制御部２６は、予約データの設定を検出し（ステップＳＴ８ａ）、入力された情報を予約データとして予約情報記憶部２８に保持する。またそれと共に、上記入力された予約データをデータ表示部２２によりモニタＭＴに表示する。この状態でオペレータが入力部２７において確定操作を行なうと、装置制御部２６は、タイマ３２が処理開始時刻を計時するか否かの監視を行う（ステップＳＴ８ｂ）。
【００３９】
ここで、タイマ３２が処理開始時刻、例えば３月１２日１５：００を計時すると、装置制御部２６は予約情報記憶部２８に記憶されている予約データから該当する映像収録装置１２及び収録機能を選定し（ステップＳＴ８ｃ）、該当する映像収録装置１２及び収録機能に対応する処理手順を処理履歴記憶部２５から検索する（ステップＳＴ８ｄ）。
【００４０】
そして、装置制御部２６は、該当する映像収録装置１２及び収録機能に対応する処理手順があるか否かを判定し（ステップＳＴ８ｅ）、処理手順がある場合には処理履歴記憶部２５から映像収録装置１２及び収録機能に対応する処理手順を示す情報を読み出し、当該処理手順に従って映像収録装置１２及び収録機能に対し素材Ａに対する収録処理を実行させる（ステップＳＴ８ｆ）。
【００４１】
一方、処理手順がない場合には、装置制御部２６はオペレータにより設定されプログラム記憶部３０に記憶されたプログラム中の処理手順に従って映像収録装置１２及び収録機能に対し素材Ａに対する収録処理を実行させる（ステップＳＴ８ｇ）。
【００４２】
以後、装置制御部２６は、予約情報記憶部２８に記憶された予約データに基づいて、蓄積装置１５及び送出装置１７に対し素材Ａに対する処理を順に実行させる。ところで、何らかの原因により蓄積装置１５のプレビュー機能が動作しなくなった場合、装置制御部２６は優先度記憶部２９を参照してプレビュー機能の次に優先度が高い蓄積装置１５の再生機能を選定し、蓄積装置１５の再生機能に対し素材Ａの再生処理を実行させる。そして、各機能ごとの処理終了結果は、タイマ３２で計時される日付及び時刻とともに処理履歴記憶部２５に記憶される。
【００４３】
また、上記ステップＳＴ８ｄにおいて、処理履歴記憶部２５から検索される映像収録装置１２及び収録機能に対応する処理手順を一旦モニタＭＴに表示して、オペレータに提示し、この表示に対しオペレータが必要と判断して入力部２７により該当する映像収録装置１２及び収録機能に対応する処理手順を実行させるようにしてもよい。
【００４４】
図９は、映像収録装置１２で収録した素材に対して、複数処理の要求があった場合の処理を示す。
【００４５】
この素材に対して、例えば蓄積装置１５（装置Ａ）が作業中に編集装置１３（装置Ｂ）から作業要求があった場合、システム制御部１６は、優先度情報記憶部２９に記憶される優先度情報を参照し、優先度の高い処理を実行させ、優先度の低い処理については優先度が高い処理が終わるまで待ちとする。
【００４６】
図１０は、同一素材に対し複数の処理要求が発生した際の上記システム制御部１６の処理手順を示すフローチャートである。
【００４７】
いま図１１に示すように、蓄積装置１５は例えば１６：３０からオンエア開始される野球番組（素材Ａ）を１６：２５に再生しているものとする。この素材Ａは１６：３０から１７：３０までオンエアされる。
【００４８】
素材Ａが蓄積装置１５から再生されている状態で、１６：５５に映像収録装置１２から例えば地震情報を伝える緊急ニュース番組（素材Ｃ）をオンエアする要求がシステム制御部１６に到来したとする。そうすると、システム制御部１６の装置制御部２６は、素材Ａ内で他に処理が動いているか否かを判定する（ステップＳＴ１０ａ）。ここでは、蓄積装置１５が素材Ａを再生中であるので、システム制御部１６は素材Ａの同一箇所への処理か否かを判定する（ステップＳＴ１０ｂ）。
【００４９】
ここでは、同一箇所への処理であるので、システム制御部１６は優先度情報記憶部２９を参照して映像収録装置１２からの緊急ニュース番組のオンエアの優先順位が蓄積装置１５の再生機能の優先順位より高いか否かを判定する（ステップＳＴ１０ｃ）。ここでは、映像収録装置１２からの緊急ニュース番組のオンエアの優先順位が「１」で、蓄積装置１５の再生機能の優先順位が「５」であるので、システム制御部１６は素材Ａに対する蓄積装置１５の再生処理の進行度がしきい値以上、例えば素材長を１００％とした場合の８０％以上であるか否かを判定する（ステップＳＴ１０ｄ）。
【００５０】
この例では、１６：５５で緊急ニュース番組の差し替えが行われることになるので、進行度が５０％となり、システム制御部１６は蓄積装置１５の素材Ａの再生処理を中断し（ステップＳＴ１０ｅ）、映像収録装置１２で収録される緊急ニュース番組（素材Ｃ）を送出装置１７に送出させてオンエアさせる（ステップＳＴ１０ｆ）。このとき、システム制御部１６は、「中断」を表す情報と、蓄積装置１５の識別情報と、再生機能の識別情報と、素材Ａを示す識別情報と、処理進行度を表す情報「５０％」とを対応付けて中断箇所記憶部３１に記憶する。
【００５１】
そして、緊急ニュース番組（素材Ｃ）のオンエアが終了すると、システム制御部１６の装置制御部２６は、中断箇所記憶部３１を参照して「５０％」の箇所、つまり素材Ａの１６：５５で終了した箇所から素材Ａの再生処理を再開するように蓄積装置１５を制御する（ステップＳＴ１０ｇ）。
【００５２】
なお、上記ステップＳＴ１０ａにおいて、例えば素材Ａ内で編集装置１３からのみ要求が発生して他に処理が動いていない場合や、上記ステップＳＴ１０ｂにおいて蓄積装置１５が素材Ａの「ファイル１」をコピーしている間に、例えば編集装置１３から素材Ａの「ファイル４」の修正要求が到来した場合には、システム制御部１６は編集装置１３に対し素材Ａに対する編集処理を実行させる（ステップＳＴ１０ｈ）。
【００５３】
一方、上記ステップＳＴ１０ｄにおいて、１７：２０で緊急ニュース番組の差し替えが行われる場合、進行度が８０％以上となるので、システム制御部１６は映像収録装置１２からの処理の割り込みを禁止する（ステップＳＴ１０ｉ）。
【００５４】
以上のように上記実施形態では、システム制御部１６において、素材データの収録からオンエアまでの処理における映像収録装置１２、編集装置１３、送出制御装置１４、蓄積装置１５及び送出装置１７といった情報処理装置の選択や各情報処理装置の機能の選択を、情報処理装置の使用状態と、予約情報記憶部２８に記憶された予約データや優先度情報記憶部２９に記憶された情報処理装置の機能ごとの優先順位に基づいて、自動的に行うようにしている。
【００５５】
従って、自動化できる作業は自動化することで、素材データの収録からオンエアまでの処理に要する時間の短縮及び効率の改善を図ることができる。
【００５６】
また、上記実施形態では、優先度の低い情報処理装置の機能による素材データの処理中に、優先度の高い情報処理装置の機能による処理要求が発生した場合に、低い機能による素材データの処理を中断して、優先度の高い機能による処理を優先して実行するようにしている。従って、情報処理装置の機能別の処理と、オペレータの効率的運用とを両立させたシステムを提供できる。
【００５７】
また、上記実施形態では、システム制御部１６において、素材データに対する処理を中断する場合に、例えば「中断」を表す情報と、蓄積装置１５の識別情報と、再生機能の識別情報と、素材Ａを示す識別情報と、処理進行度を表す情報「５０％」とを対応付けて中断箇所記憶部３１に記憶するようにしているので、同一素材に対する複数の処理要求が発生した場合、優先度の低い処理は中断し、優先度の高い処理を実行後、中断箇所記憶部３１を参照して中断した部分から再開するというように、効率的に作業を進めることができ、また自動化されることにより、収録した素材をオンエアするまでの時間を短縮できる。
【００５８】
また、上記実施形態では、オペレータが入力部２７により素材の処理の実行手順を示す予約データを入力して予約情報記憶部２８に登録するだけで、オペレータが離席などして不在の場合であっても、予約データに基づいて、情報処理装置または機能の選択から該当する情報処理装置または機能により素材データの処理まで自動的に行われ、これにより収録した素材をオンエアするまでの時間を短縮できる。
【００５９】
また、上記実施形態では、素材データの処理後に、タイマ３２により計時される処理実行日付及び時刻と、素材の識別情報と、情報処理装置の識別情報と、機能の識別情報と、処理の実行手順を示す情報とともに処理履歴記憶部２５に記憶するようにしているので、素材データに対して過去に処理を行った機能がある場合に、その機能の処理履歴情報を提示することができる。さらに、素材データの処理を実行する機能が過去に同じ処理を行っている場合に、処理履歴記憶部２５に記憶される処理履歴情報を利用して、同じ処理を繰り返し行うことができ、これにより素材データの処理の効率化をさらに図ることができる。
【００６０】
なお、上記実施形態では、映像収録装置１２、編集装置１３、送出制御装置１４、蓄積装置１５及び送出装置１７をネットワーク１１で接続した放送システムについて説明したが、映像収録装置１２、編集装置１３、送出制御装置１４、蓄積装置１５及び送出装置１７をネットワーク１１上のサイトごとに設けるものであってもよい。
【００６１】
図１２は複数のサイトがネットワーク１１で接続される放送システムの構成を示している。サイトＡの映像収録装置１２で収録した素材をサイトＢの編集装置４１、サイトＣの編集装置５１で同じ位置に違う編集処理を入れる必要があるとき、サイトＡでは、編集する部分以外の部分についてサイトＢ,Ｃに転送するのと同時に、編集作業を順番に行い編集処理が済んだ分より編集した部分を転送する。
【００６２】
本システムでは、映像収録装置１２で収録された素材をサイトＡの編集装置１３、サイトＢの編集装置４１、サイトＣの編集装置５１に振り分ける。なお、サイトＡにはチャンネル＃１を割り当て、サイトＢにはチャンネル＃２を割り当て、サイトＣにはチャンネル＃３を割り当てるものとする。
【００６３】
サイトＡの編集装置１３では、素材を映像信号＋主音声信号に編集して蓄積装置１５に送出し蓄積する。サイトＢの編集装置４１では、素材を映像信号＋副音声信号に編集して蓄積装置４２に送出し蓄積する。サイトＣの編集装置５１では、素材を映像信号＋主音声信号＋文字多重信号に編集して蓄積装置５２に送出して蓄積する。このとき、文字多重信号は映像信号に画面合成される。各蓄積装置１５，４２，５２に蓄積された素材データは、各システム制御部１６，４３，５３による制御で、サイトＡの送出制御装置１４に送られてＣＭ等の挿入が行われた後、送出装置１７によりオンエア出力される。
【００６４】
例として、野球番組をオンエアする場合について説明する。図１３に示すように、まず、サイトＡでは映像に主音声である日本語を重ね、サイトＢでは映像に副音声である英語を重ね、サイトＣでは映像に文字多重信号である字幕を画面合成すると共に主音声である日本語を重ねる。
【００６５】
このように本システムでは、転送する時間が大幅に削減することが可能になるとともに、同一素材をサイト毎に視聴形態を分けて編集してオンエアすることができる。このようにすれば、テレビジョン受信機において、チャンネルを切り替えるだけで、主／副音声の切り替え、字幕表示の有無の切り替えを選択できる。
【００６６】
また、サイトＡではＳＤ(Standard Definition)用のカメラ１８で撮影された素材を映像収録装置１２に収録し、サイトＢではＨＤ(High Definition)用のカメラ４４で撮影された素材を映像収録装置４５に収録する場合にも、ＳＤ用の素材データとＨＤ用の素材データとを送出装置１７でオンエアすることができる。また、サイトＣでＳＤ用のカメラ５４で撮影された素材を映像収録装置５５に収録する場合にも、このＳＤ用の素材データを送出装置１７でオンエアすることができる。
【００６７】
また、上記各実施形態では、映像収録装置１２、編集装置１３、送出制御装置１４、蓄積装置１５及び送出装置１７といった各情報処理装置をネットワーク１１で接続した放送システムの場合について説明したが、複数の機能を備えた情報処理部、制御部とした１つの放送素材処理装置として考えれば、１装置内で同様に素材の収録からオンエア処理まで自動的に行うことができる。この放送素材処理装置は、例えば１台のカメラ装置であってもよい。また、例えば、映像収録装置１２、編集装置１３、送出制御装置１４、蓄積装置１５及び送出装置１７のいずれか１つと、システム制御部１６とをネットワーク１１で接続した放送システムであってもよい。
【００６８】
以上、上記述べた例の種々の組み合わせにより、この発明の要旨を逸脱しない範囲で種々の放送システム及び放送素材処理装置を実現することが可能である。
【符号の説明】
【００６９】
１１…ネットワーク、１２,４５,５５…映像収録装置、１３,４１,５１…編集装置、１４…送出制御装置、１５,４２,５２…蓄積装置、１６,４３,５３…システム制御部、１７…送出装置、１８,４４,５４…カメラ、２１…状態取得部、２２…データ表示部、２３…データ記録部、２４…状態管理部、２５…処理履歴記憶部、２６…装置制御部、２７…入力部、２８…予約情報記憶部、２９…優先度情報記憶部、３０…プログラム記憶部、３１…中断箇所記憶部、３２…タイマ、ＭＴ…モニタ。
【図１】
2010219722.tif 000003
【図２】
2010219722.tif 000004
【図３】
2010219722.tif 000005
【図４】
2010219722.tif 000006
【図５】
2010219722.tif 000007
【図６】
2010219722.tif 000008
【図７】
2010219722.tif 000009
【図８】
2010219722.tif 000010
【図９】
2010219722.tif 000011
【図１０】
2010219722.tif 000012
【図１１】
2010219722.tif 000013
【図１２】
2010219722.tif 000014
【図１３】
2010219722.tif 000015